(57)【要約】【課題】ノート・パソコンを商用電源で使用する時の利便性と、バッテリー・パックの使用上の利便性とパソコン・メーカーの保守管理上の経済性を提供する。【解決手段】従来のＡＣアダプター（２）機能をノート・パソコン本体（１）内に設ける構造とし、バッテリー・パック（７）をバッテリー・コード端子（１０）でバッテリー接続端子（８）に外付け接続する構造とする。【選択図】　図１
2004046769.tif 000002
【特許請求の範囲】
【請求項１】
ＡＣアダプター機能をノート・パソコン本体（１）筺体に内蔵する構造とした、ＡＣアダプター機能内蔵付バッテリー・パック外面装着ノート・パソコン。
【請求項２】
ノート・パソコン本体（１）筺体外面に専用のバッテリー接続端子（８）を設け、バッテリー・パック（７）をバッテリー・コード端子（１０）で該バッテリー接続端子（８）に外面装着接続する構造とした、請求項第１項記載のＡＣアダプター機能内蔵付バッテリー・パック外面装着ノート・パソコン。
【発明の詳細な説明】
【０００１】
【発明の属する技術分野】
本発明は、ノート・パソコンに使用するＡＣアダプターとバッテリー・パックに関するものである。
【０００２】
【従来の技術】
ノート・パソコン本体とＡＣアダプターとが分離され、バッテリー・パックはノート・パソコン本体の筺体内に装着される構造のものだった。
【０００３】
【発明が解決しようとする課題】
これは次のような欠点があった。
（イ）　ノート・パソコンを使用する度に、ＡＣアダプターに電源コードを接続して立ち上げなければならないとゆう煩わしさがあった。
（ロ）　ＡＣアダプターに電源コードを接続しておくと、ＤＣ電源プラグをノート・パソコンに接続するだけで済み便利であるが、未使用時にも僅かであるが電気の浪費となっていた。
（ハ）　ノート・パソコンを他の場所へ移動して使用する時、バッテリー・パックを使用しないで商用電源を使用する時は、ＡＣアダプターを携行しなければならなかった。
（ニ）　バッテリー・パックを使用しない理由として、バッテリー残量の不安からバッテリー・パックの使用を控えることによるもので、商用電源の供給可能な場所ではＡＣアダプターを使用することが当然となっていた。
（ホ）　上記理由として、ノート・パソコンに使用されるバッテリーのバッテリー・ライフを考えた時、その特性上ある一定量の放電がされてからの充電が良いとされるため、残量途中での充電を行うことは殆んど無く、この為バッテリーを常にフル充電状態に保つことが容易でなかった。
このような理由からバッテリー・パックの使用は、屋外での商用電源供給
不可能な場所のみでの使用に限られていた。
（ヘ）　バッテリー・パックはノート・パソコン本体内に装着される構造のため、本体容積の小さいノート・パソコンで一定の空間領域を確保しなければならず、ノート・パソコンの設計上のネックとなっていた。
このためバッテリー・パックを単純に大きくすることが出来ず、バッテリー容量アップの支障となっていた。
（ト）　ノート・パソコンの使われ方として、企業内オフィスや家庭内に於いても省スペースから机上でノート・パソコンを使用することが多くなり、バッテリー・パックでの使用は電源供給上の安定性から敬遠され、商用電源を使用した使われ方が主流となってきた。
（チ）　ノート・パソコンを商用電源で使用する際の簡便な方法が望まれていた。
本発明は、これらの課題を解決するためになされたものである。
【０００４】
【課題を解決するための手段】
従来のＡＣアダプター機能をノート・パソコン本体内に設ける。
また、従来ノート・パソコン本体内に装着していたバッテリー・パックを外付け接続する構造とする。
【０００５】
【発明の実施の形態】
以下、本発明の実施の形態について説明する。
（イ）　従来ノート・パソコン本体（１）内のバッテリー・パック（７）に使用していた空域に、ＡＣアダプター（２）機能を設ける。
（ロ）　ノート・パソコン本体（１）筺体に、ＡＣアダプター（２）機能への商用電源供給用のＡＣ電源端子（３）を設ける。
（ハ）　バッテリー・パック（７）にバッテリー・コード（９）を取り付け、その先端にバッテリー・コード端子（１０）を設けた一体構造とする。
（ニ）　ノート・パソコン本体（１）筺体に、バッテリー・パック（７）のバッテリー・コード端子（１０）用のバッテリー接続端子（８）を設ける。
（ホ）バッテリー接続端子（８）とバッテリー・コード端子（１０）は、互いを雄雌の接続端子構造とする。
本発明のノート・パソコン本体（１）の使用で、バッテリー・パック（７）を使用する時は、ノート・パソコン本体（１）に取り付けたバッテリー接続端子（８）にバッテリー・コード（９）のバッテリー・コード端子（１０）を接続する。
バッテリー・パック（７）を使用しない時のノート・パソコン本体（１）の使用は、商用電源に接続された電源コード（４）の電源プラグ（５）をＡＣ電源端子（３）に接続する。
【０００６】
バッテリー・パック（７）への充電は、ノート・パソコン本体（１）に取り付けたバッテリー接続端子（８）にバッテリー・コード（９）のバッテリー・コード端子（１０）を接続する。
次に商用電源に接続された電源コード（４）の電源プラグ（５）をＡＣ電源端子（３）に接続することで充電が開始され、ノート・パソコン本体（１）の使用も可能となる。
【０００７】
電源管理の充電状態やバッテリー残量のモニターも、バッテリー接続端子（８）にモニター用の端子を設けることで、ノート・パソコンの電源管理画面上で従来通りモニターが可能となる。
尚バッテリー・パック（７）を屋外等の商用電源の無い所で使用しなければならない時は、キャリング・バッグ等に入れ携行する。
【０００８】
【発明の効果】
本発明はノート・パソコンを使用する時、商用電源に接続された電源コードの電源プラグを直接ＡＣ電源端子に接続することで使用可能となるため利便性が良い。
ノート・パソコンの電源スィッチをＡＣ電源の開閉構造とすることで、電源プラグをＡＣ電源端子に接続した状態のままにしておいても、電源スィッチをオフにしてあれば、電力消費も無く経済性も良い。
従来、オフィスや家庭内でノート・パソコンを他の場所に移動して使用する時も、商用電源の供給可能な場所で有り且つバッテリー・パックを使用しない時には、ＡＣアダプターを携行して移動しなければならなかった。
本発明はこの様な時に、電源コードのみの携行でよくなり利便性が向上する。
バッテリー・パックを使用する時は、バッテリー・コード端子をバッテリー接続端子に接続することでバッテリーの使用が可能となり、充電はノート・パソコン本体を商用電源に接続することで可能となり従来と変わらない。
バッテリー・パックは、バッテリー・コードを介してノート・パソコンに接続されるため、コードの持つ柔軟な自在性で置き方や場所を選ばず使用できる。
【０００９】
パソコン・メーカーのメリットについて述べる。
本発明は、従来ノート・パソコンのバッテリー・パックが占有していたスペースにＡＣアダプター機能を設けたことで、普段使用されていないスペースを有効利用することができる。
ノート・パソコン本体内に内蔵されるＡＣアダプター機能は、従来のバッテリー・パックの装着を前提とした形状に拘束されたレイアウト構成を必要としないため、ノート・パソコン本体内での自由度のある配置設計が可能となる。
従来バッテリー・パックは、同一パソコン・メーカー内でもモデルや機種の違いで形状や大きさが異なり、互換性を保つことが難しかった。
パソコン・メーカーでノート・パソコン本体に取り付けるバッテリー接続端子の規格を統一することができれば、大きさや形状に縛られず異なるモデルや機種間でバッテリー・パックの互換性が得られるようになる。
またパソコン・メーカーとして、バッテリー・パックは消耗品として買い替え需要のある保守部品として在庫管理が必要で、特にパソコン・メーカーの責任に於いて保守部品として一定年月在庫管理しなければならい責務も有る。
新モデルや新機種ごとに形状や構造の異なる種類が増え続ける中で、バッテリー・パックの在庫管理経費が負担となっていた。
本発明は、パソコン・メーカーの在庫管理が形状や大きさに左右されない種類のものとなることで、種類を少なくでき在庫管理経費の削減が図れる。
【００１０】
次にユーザーのメリットについて述べる。
ユーザーは、従来のノート・パソコンに装着接続できるものと比較してより容量の大きいものや、使用条件に合ったバッテリー・パックの選択が可能となる。ノート・パソコンの購入時にバッテリー・パックが選択付属品となれば、バッテリーを使用しない者にとってバッテリー単価を差し引いた安い価格で購入でき、購入時の初期投資が低減できる。
後にバッテリーを使用する必要が生じた時、必要とする容量のバッテリー・パックを買い足すことで容易に対応が可能となる。
なお他パソコン・メーカー間でのバッテリー接続端子規格の統一が行えるようになれば、ユーザーの選択肢が増えメリットが大きい。
【図面の簡単な説明】
【図１】本発明の接続構成を示す後部斜視図。
【符号の説明】
１　ノート・パソコン本体
２　ＡＣアダプター
３　ＡＣ電源端子
４　電源コード
５　電源プラグ
６　ＡＣコンセント・プラグ
７　バッテリー・パック
８　バッテリー接続端子
９　バッテリー・コード
１０　バッテリー・コード端子
【図１】
2004046769.tif 000003